(57)【要約】  複数の端末装置と無線通信することが可能な基地局装置であって、前記端末装置が選択する符号系列の選択数を決定する決定部と、前記端末装置が前記無線通信におけるデータを含むデータ信号を送信するとき、前記選択数の符号系列を選択し、前記選択した符号系列に応じて生成したパイロット部を前記データ信号に付与するよう、前記端末装置に指示する指示部と、前記端末装置が送信する前記データ信号を受信する受信部とを有する。
2019087257.tif 000002
【特許請求の範囲】
【請求項１】
複数の端末装置と無線通信することが可能な基地局装置であって、
前記端末装置が選択する符号系列の選択数を決定する決定部と、
前記端末装置が前記無線通信におけるデータを含むデータ信号を送信するとき、前記選択数の符号系列を選択し、前記選択した符号系列に応じて生成したパイロット部を前記データ信号に付与するよう、前記端末装置に指示する指示部と、
前記端末装置が送信する前記データ信号を受信する受信部とを有する
基地局装置。
【請求項２】
前記決定部は、前記基地局装置と通信できる範囲内に位置する前記端末装置の台数に応じて、前記選択数を決定する
請求項１記載の基地局装置。
【請求項３】
前記決定部は、前記端末装置の台数が、前記端末装置が選択可能な符号系列の数より多いとき、前記選択数を２以上の数値に決定する
請求項２記載の基地局装置。
【請求項４】
前記データ信号を送信する無線リソースは、前記基地局装置と前記端末装置間での無線リソースの割り当て手順なしに前記端末装置が使用することができる無線リソースである第１リソースであって、
前記受信部は、前記複数の端末装置が送信した複数のデータ信号の受信に失敗したとき、前記複数のデータ信号のパイロット部を生成したそれぞれの符号系列を示す受信符号系列が異なる場合、前記受信符号系列で前記複数の端末装置を識別し、前記複数の端末装置それぞれに対して、前記第１リソース以外の無線リソースである第２リソースを割り当て、前記割り当てた第２リソースに関する情報を含む否定応答を、前記受信符号系列を用いて前記複数の端末装置それぞれに送信する
請求項１記載の基地局装置。
【請求項５】
前記指示部は、前記端末装置が選択した符号系列の全てに応じて、前記パイロット部を生成するよう指示する
請求項１記載の基地局装置。
【請求項６】
前記決定部は、さらに、前記決定した選択数のうち、前記パイロット部の生成に使用する符号系列の数を示す第１数を決定し、
前記指示部は、前記端末装置が前記データ信号を送信するとき、
前記選択した符号系列のうち第１数の符号系列を選択し、前記第１数の符号系列に応じて生成したパイロット部を前記データ信号に付与し、
前記選択した符号系列のうち前記第１数の符号系列以外の符号系列に応じて第２パイロット部を生成し、前記第２パイロット部を付与した信号であって、前記端末装置の識別子を含む識別子信号を前記基地局装置に送信するよう、前記端末装置に指示する
請求項１記載の基地局装置。
【請求項７】
前記データ信号を送信する無線リソースは、前記基地局装置と前記端末装置間での無線リソースの割り当て手順なしに前記端末装置が使用することができる無線リソースである第１リソースであって、
前記受信部は、前記複数の端末装置が送信した複数のデータ信号の受信に失敗し、かつ前記複数のデータ信号のパイロット部を生成したそれぞれの符号系列を示す受信符号系列が同一である場合、
前記識別子信号を受信し、
前記識別子信号の受信に成功した場合、前記識別子信号に含まれる前記端末装置の識別子で前記複数の端末装置を識別し、前記複数の端末装置それぞれに対して、前記第１リソース以外の無線リソースである第２リソースを割り当て、前記割り当てた第２リソースに関する情報を含む否定応答を、前記識別子を用いて前記複数の端末装置それぞれに送信する
請求項６記載の基地局装置。
【請求項８】
前記受信部は、さらに、前記識別子信号の受信に失敗した場合であって、かつ前記複数の端末装置が送信する識別子信号のパイロット部を生成したそれぞれの符号系列を示す受信識別子符号系列が異なる場合、前記受信識別子符号系列で前記複数の端末装置を識別し、前記複数の端末装置それぞれに対して、前記第２リソースを割り当て、前記割り当てた第２リソースに関する情報を含む否定応答を、前記受信識別子符号系列を用いて前記複数の端末装置それぞれに送信する
請求項７記載の基地局装置。
【請求項９】
前記第１リソースは、Ｇｒａｎｔ＿Ｆｒｅｅで使用する無線リソースであり、
前記第２リソースは、Ｇｒａｎｔ＿Ｂａｓｅで使用する無線リソースである
請求項４及び７記載の基地局装置。
【請求項１０】
複数の端末装置と、前記複数の端末装置と無線通信をすることが可能な基地局装置とを有する無線通信システムにおける端末装置であって、
前記基地局装置から符号系列の選択数を含む信号を受信する選択数受信部と、
前記無線通信におけるデータを含むデータ信号を送信するとき、前記選択数の符号系列を選択し、前記選択した符号系列に応じて生成したパイロット部を付与した前記データ信号を送信する送信部と、を有する
端末装置。
【請求項１１】
前記送信部は、前記選択した符号系列の全てに応じて前記パイロット部を生成する
請求項１０記載の端末装置。
【請求項１２】
前記選択数受信部は、さらに、前記決定した選択数のうち、前記パイロット部の生成に使用する符号系列の数を示す第１数を受信し、
前記送信部は、
前記選択した符号系列のうち第１数の符号系列を選択し、前記第１数の符号系列に応じて生成したパイロット部を前記データ信号に付与し、
前記選択した符号系列のうち前記第１数の符号系列以外の符号系列に応じて第２パイロット部を生成し、前記第２パイロット部を付与した信号であって、前記端末装置の識別子を含む識別子信号を前記基地局装置に送信する
請求項１０記載の端末装置。
【請求項１３】
複数の端末装置と無線通信することが可能な基地局装置における通信方法であって、
前記端末装置が選択する符号系列の選択数を決定し、
前記端末装置が前記無線通信におけるデータを含むデータ信号を送信するとき、前記選択数の符号系列を選択し、前記選択した符号系列に応じて生成したパイロット部を前記データ信号に付与するよう、前記端末装置に指示し、
前記端末装置が送信する前記データ信号を受信する
通信方法。
【請求項１４】
複数の端末装置と、前記複数の端末装置と無線通信することが可能な基地局装置とを有する無線通信システムであって、
前記基地局装置は、前記端末装置が選択する符号系列の選択数を決定し、前記決定した選択数を前記端末装置に通知し、
前記端末装置は、前記通知された選択数の符号系列を選択し、前記選択した符号系列に応じて生成したパイロット部を付与した信号であって、前記無線通信のデータを含むデータ信号を、前記基地局装置に送信し、
前記基地局装置は、前記データ信号を受信する
無線通信システム。
【発明の詳細な説明】
【技術分野】
【０００１】
本発明は、基地局装置、端末装置、通信方法、及び無線通信システムに関する。
【背景技術】
【０００２】
第５世代移動通信システム（以降、５Ｇと呼ぶ場合がある）において、さらなる低遅延の通信を実現するため、Ｇｒａｎｔ＿Ｆｒｅｅでの通信が検討されている。【０００３】
Ｇｒａｎｔ＿Ｆｒｅｅは、端末装置が基地局装置にデータを送信するとき、基地局装置からの無線リソースの割当手順なしに、予め決められたＧｒａｎｔ＿Ｆｒｅｅ用の無線リソースを使用してデータを送信する通信方式である。Ｇｒａｎｔ＿Ｆｒｅｅは、基地局装置が無線リソースを端末装置に割り当てるＧｒａｎｔ＿Ｂａｓｅと比較し、無線リソースの割当て手順が省略されるため、データ送信までの時間が早く、低遅延を実現する。
【先行技術文献】
【非特許文献】
【０００４】
【非特許文献１】3GPP  TS.36.213  V14.3.0(2017-06)
【非特許文献２】3GPP  TS.38-912 (RAN1#87 R1-1613517)
【発明の概要】
【発明が解決しようとする課題】
【０００５】
しかし、Ｇｒａｎｔ＿Ｆｒｅｅで使用する無線リソースは、端末装置がＧｒａｎｔ＿Ｆｒｅｅ用として決められた無線リソースから選択されるため、複数の端末装置が同時にデータを送信する場合、複数の端末装置で使用する無線リソースが競合する場合がある。複数の端末装置で使用する無線リソースが競合すると、干渉が発生し、基地局装置はデータをエラーなく受信することができず、受信に失敗する場合がある。【０００６】
また、端末装置は、データの送信に失敗するとデータの再送を行うが、端末装置の数が多くなるほど、データ再送時にも無線リソースが競合する可能性が高くなり、データの再送の失敗を繰り返す場合がある。【０００７】
また、端末装置は、データにパイロット部（パイロット信号）を付与して送信する場合がある。パイロット部は、複数の符号系列から端末装置が選択した符号系列に応じて生成される。複数の端末装置が使用する無線リソースが競合しても、パイロット部の符号系列が異なれば、基地局装置は、使用される符号系列で複数の端末装置を識別できる。基地局装置は、複数の端末装置を識別できれば、例えば、複数の端末装置それぞれに干渉しない無線リソースを割り当てるなどの対応を行うことで、データの再送の失敗を抑制することができる。しかし、パイロット部の符号系列も同じである場合、複数の端末装置を識別できず、端末装置ごとの対応を行うことができない。【０００８】
そこで、開示の一つの側面は、複数端末装置の使用する無線リソースが競合しても、端末装置を識別できる基地局装置、端末装置、通信方法、及び無線通信システムを提供することにある。
【課題を解決するための手段】
【０００９】
複数の端末装置と無線通信することが可能な基地局装置であって、前記端末装置が選択する符号系列の選択数を決定する決定部と、前記端末装置が前記無線通信におけるデータを含むデータ信号を送信するとき、前記選択数の符号系列を選択し、前記選択した符号系列に応じて生成したパイロット部を前記データ信号に付与するよう、前記端末装置に指示する指示部と、前記端末装置が送信する前記データ信号を受信する受信部とを有する。
【発明の効果】
【００１０】
開示の一つの側面は、複数端末装置の使用する無線リソースが競合しても、端末装置を識別できる。
【図面の簡単な説明】
【００１１】
【図１】図１は、無線通信システム１０の構成例を示す図である。
【図２】図２は、基地局装置２００の構成例を示す図である。
【図３】図３は、端末装置１００の構成例を示す図である。
【図４】図４は、符号系列の選択数が１で、選択した符号系列がそれぞれ異なる場合のシーケンスの例を示す図である。
【図５】図５は、ＧＦデータ送信処理Ｓ１０１の処理フローチャートの例を示す図である。
【図６】図６は、端末装置１００−１，２が送信するデータ信号の例を示す図である。
【図７】図７は、ＧＦデータ受信処理Ｓ１０５の処理フローチャートの例を示す図である。
【図８】図８は、符号系列の選択数が１で、選択した符号系列が同じである場合のシーケンスの例を示す図である。
【図９】図９は、複数台の端末装置１００が同一符号系列を選択する確率の例を示す図である。
【図１０】図１０は、複数台の端末装置１００が符号系列の選択数が２である場合の同一符号系列を選択する確率の例を示す図である。
【図１１】図１１は、符号系列の選択数が２である場合のシーケンスの例を示す図である。
【図１２】図１２は、符号系列数決定処理Ｓ３００の処理フローチャートの例を示す図である。
【図１３】図１３は、符号系列数変更通知受信処理Ｓ３０２の処理フローチャートの例を示す図である。
【図１４】図１４は、端末装置１００−１，２が送信するデータ信号の例を示す図である。
【図１５】図１５は、識別子信号を送信するＧｒａｎｔ＿Ｆｒｅｅのシーケンスの例を示す図である。
【図１６】図１６は、符号系列数変更通知受信処理Ｓ４０２の処理フローチャートの例を示す図である。
【図１７】図１７は、ＧＦデータ送信処理Ｓ４０３の処理フローチャートの例を示す図である。
【図１８】図１８は、識別子送信処理Ｓ５００の処理フローチャートの例を示す図である。
【図１９】図１９は、端末装置１００−１，２が送信するデータ信号及び識別子信号の例を示す図である。
【図２０】図２０は、ＧＦデータ受信処理Ｓ４１０処理フローチャートの例を示す図である。
【図２１】図２１は、識別子受信処理Ｓ５０１の処理フローチャートの例を示す図である。
【図２２】図２２は、識別子信号を送信するＧｒａｎｔ＿Ｆｒｅｅのシーケンスの例を示す図である。
【発明を実施するための形態】
【００１２】
[第１の実施の形態]
第１の実施の形態について説明する。
【００１３】
＜通信システムの構成例＞
図１は、無線通信システム１０の構成例を示す図である。無線通信システム１０は、端末装置１００−１，２、及び基地局装置２００を有する。
【００１４】
無線通信システム１０は、例えば、ＬＴＥ（Long Term Evolution）や５Ｇの規格に準拠した無線通信ネットワークである。また、無線通信システム１０は、例えば、端末装置１００−１，２がインターネットなどの外部ネットワークのサービスを受けるため、端末装置１００に通信を提供する通信システムである。端末装置１００−１，２は、基地局装置２００を介して、外部ネットワークとデータの送受信を行うことで、通信を実現する。
【００１５】
端末装置１００−１，２（以降、端末装置１００と呼ぶ場合がある）は、基地局装置２００と無線接続し、基地局装置２００とパケットを送受信することで通信を行う装置であり、例えば、スマートフォンなどの移動体通信装置である。図１において、端末装置１００は２台であるが、３台以上の端末装置１００が存在してもよい。
【００１６】
基地局装置２００は、端末装置１００と無線接続し、パケットを送受信する装置であり、例えば、ＬＴＥにおけるｅＮｏｄｅＢ（evolved Node B）や、５ＧにおけるｇＮｏｄｅＢである。基地局装置２００は、無線通信が可能な範囲を示す通信エリアＡ２００を有し、通信エリアＡ２００内に位置する端末装置１００と無線通信を行う。
【００１７】
端末装置１００は、Ｇｒａｎｔ＿Ｆｒｅｅで基地局装置２００にデータを送信する場合がある。端末装置１００は、例えば、低遅延が求められる通信を行うとき、Ｇｒａｎｔ＿Ｆｒｅｅでデータを送信する。
【００１８】
端末装置１００は、Ｇｒａｎｔ＿Ｆｒｅｅでデータを送信するとき、予めＧｒａｎｔ＿Ｆｒｅｅで使用することが許可された無線リソース（以降、Ｇｒａｎｔ＿Ｆｒｅｅリソースと呼ぶ場合がある）から、データ送信に使用する無線リソースを選択する。
【００１９】
また、端末装置１００は、Ｇｒａｎｔ＿Ｆｒｅｅでデータを送信するとき、予め決められた複数の符号系列から、データに付与するパイロット部を生成する符号系列を選択する。符号系列は、例えば、それぞれ互いに直交する（例えば、−１と＋１）複数の符号の組み合わせで構成される符号列である。端末装置１００は、送信するデータにパイロット部を付与したデータ信号を、基地局装置２００に送信する。基地局装置２００は、受信したパイロット部と使用される符号系列に基づき、無線区間におけるフェージング環境を考慮したチャネル推定を行う。
【００２０】
また、基地局装置２００は、異なる符号系列に応じて生成されたパイロット部を含む信号を受信すると、データ信号の送信元の端末装置１００を、使用された符号系列で識別することができる。
【００２１】
＜基地局装置の構成例＞
図２は、基地局装置２００の構成例を示す図である。基地局装置２００は、ＣＰＵ（Central Processing Unit）２１０、ストレージ２２０、メモリ２３０、及びＮＩＣ（Network Interface Card）２４０、ＲＦ（Radio Frequency）回路２５０、及びアンテナ２５１を有する。
【００２２】
ＣＰＵ２１０は、ストレージ２２０に記憶されているプログラムを、メモリ２３０にロードし、ロードしたプログラムを実行し、各処理を実現するプロセッサである。
【００２３】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、無線通信制御プログラム２２１、ＧＦデータ受信プログラム２２２、符号系列数決定プログラム２２３、及び運用中符号系列数２２４を記憶する。
【００２４】
運用中符号系列数２２４は、自装置の通信エリア内に位置する端末装置１００（以下、配下の端末装置１００と呼ぶ場合がある）が、Ｇｒａｎｔ＿Ｆｒｅｅリソースでデータを含むデータ信号を送信するとき、データ信号に含まれるパイロット部の生成に使用する符号系列の数が記憶される。
【００２５】
メモリ２３０は、ストレージ２２０に記憶されているプログラムをロードする領域である。また、メモリ２３０は、プログラムがデータを記憶する領域としても使用される。
【００２６】
ＮＩＣ２４０は、制御装置や外部ネットワークと接続し、通信を行う装置である。ＮＩＣ２４０は、ハブやスイッチを介して制御装置や外部ネットワークと接続してもよい。また、ＮＩＣ２４０は、複数の基地局装置２００が存在する場合、基地局装置２００間の接続に使用されてもよい。
【００２７】
ＲＦ回路２５０は、アンテナ２５１を介して、データの送受信を実現する装置である。データの送受信は、例えば、データを含むパケットを、無線信号で送受信することで実現する。ＲＦ回路２５０は、例えば、基地局装置２００の通信エリア２００Ａ内に位置する端末装置１００と、無線を介してパケットを送受信し、無線通信を行う。
【００２８】
ＣＰＵ２１０は、無線通信制御プログラム２２１を実行することで、無線通信制御処理を行う。無線通信制御処理は、Ｇｒａｎｔ＿Ｆｒｅｅ及びＧｒａｎｔ＿Ｂａｓｅでの通信を含む、無線通信を制御する処理である。Ｇｒａｎｔ＿Ｂａｓｅでの通信は、例えば、基地局装置２００が、端末装置１００からの要求（例えば、Scheduling Request）に応答し、端末装置１００に使用する無線リソースを割り当て、割り当てた無線リソースに関する情報を通知する。そして、端末装置１００は、通知された無線リソースを使用して通信を行う。
【００２９】
基地局装置２００は、無線通信制御処理において、例えば、Ｇｒａｎｔ＿Ｆｒｅｅリソースに関する情報を含むＧｒａｎｔ＿Ｆｒｅｅリソース情報を、端末装置１００に通知（報知）する。Ｇｒａｎｔ＿Ｆｒｅｅリソース情報は、例えば、ＳＩＢ（System Information Block）やＭＩＢ（Master Information Block）などの、報知情報を用いて通知される。
【００３０】
ＣＰＵ２１０は、ＧＦデータ受信プログラム２２２を実行することで、受信部を構築し、ＧＦデータ受信処理を行う。ＧＦデータ受信処理は、端末装置１００からＧＦデータを受信する処理である。ＧＦデータは、端末装置１００が、Ｇｒａｎｔ＿Ｆｒｅｅの無線リソース（以降、Ｇｒａｎｔ＿Ｆｒｅｅリソースと呼ぶ場合がある）を用いて、基地局装置２００に送信するデータである。
【００３１】
ＣＰＵ２１０は、符号系列数決定プログラム２２３を実行することで、決定部及び指示部を構築し、符号系列数決定処理を行う。符号系列数決定処理は、端末装置１００が選択する、データ信号に含まれるパイロット部の生成に用いる符号系列の数を決定する処理である。
【００３２】
また、ＣＰＵ２１０は、符号系列数通知モジュール２２３１を実行することで、指示部を構築し、符号系列数通知処理を行う。符号系列数通知処理は、端末装置１００に符号系列数を通知（指示）する符号系列数変更通知を送信する処理である。符号系列数変更通知は、例えば、ＳＩＢやＭＩＢなどの、報知情報を用いて通知される。また、符号系列数変更通知は、ＲＲＣ（Radio Resource Control）メッセージを使用して通知されてもよい。
【００３３】
＜端末装置の構成例＞
図３は、端末装置１００の構成例を示す図である。端末装置１００は、例えば、移動体通信端末であり、ＣＰＵ１１０、ストレージ１２０、メモリ１３０、ＲＦ回路１５０、及びアンテナ１５１を有する。
【００３４】
ＣＰＵ１１０は、ストレージ１２０に記憶されているプログラムを、メモリ１３０にロードし、ロードしたプログラムを実行し、各処理を実現するプロセッサである。
【００３５】
ストレージ１２０は、プログラムやデータを記憶する、フラッシュメモリ、ＨＤＤ、又はＳＳＤなどの補助記憶装置である。ストレージ１２０は、無線通信プログラム１２１、ＧＦデータ送信プログラム１２２、ＧＢデータ送信プログラム１２３、符号系列数変更通知受信プログラム１２４、ＧＦ情報テーブル１２５、及び選択符号系列数テーブル１２６を有する。
【００３６】
ＧＦ情報テーブル１２５は、Ｇｒａｎｔ＿Ｆｒｅｅリソース情報を記憶するテーブルである。端末装置１００は、Ｇｒａｎｔ＿Ｆｒｅｅリソース情報を受信したとき、ＧＦ情報テーブル１２５を更新する。
【００３７】
選択符号系列数テーブル１２６は、選択符号系列数が記憶される。端末装置１００は、符号系列数変更通知を受信したとき、選択符号系列数テーブル１２６を更新する。
【００３８】
メモリ１３０は、ストレージ１２０に記憶されているプログラムをロードする領域である。また、メモリ１３０は、プログラムがデータを記憶する領域としても使用される。
【００３９】
ＲＦ回路１５０は、基地局装置２００と無線接続し、例えば、外部ネットワークと通信を行う装置である。ＲＦ回路１５０は、アンテナ１５１を使用してパケットを送受信し、他の装置との通信を実現する。
【００４０】
ＣＰＵ１１０は、無線通信プログラム１２１を実行することで、無線通信処理を行う。無線通信処理は、Ｇｒａｎｔ＿Ｆｒｅｅ及びＧｒａｎｔ＿Ｂａｓｅでの通信を含む、無線通信を行う処理である。
【００４１】
ＣＰＵ１１０は、ＧＦデータ送信プログラム１２２を実行することで、送信部を構築し、ＧＦデータ送信処理を行う。ＧＦデータ送信処理は、端末装置１００にＧＦデータを送信する契機が発生したとき、ＧＦデータを基地局装置２００に送信する処理である。
【００４２】
ＣＰＵ１１０は、ＧＢデータ送信プログラム１２３を実行することで、ＧＢデータ送信処理を行う。ＧＢデータ送信処理は、端末装置１００にＧＢデータを送信する契機が発生したとき、ＧＢデータを基地局装置２００に送信する処理である。ＧＢデータは、端末装置１００が、基地局装置２００からＧｒａｎｔ＿Ｂａｓｅで割り当てられた無線リソース（以降、Ｇｒａｎｔ＿Ｂａｓｅリソースと呼ぶ場合がある）を用いて、基地局装置２００に送信するデータである。なお、Ｇｒａｎｔ＿Ｂａｓｅリソースに関する情報は、例えば、基地局装置２００が送信するＵＬ（UpLink）＿Ｇｒａｎｔに含まれる。
【００４３】
ＣＰＵ１１０は、符号系列数変更通知受信プログラム１２４を実行することで、選択数受信部を構築し、符号系列数変更通知受信処理を行う。符号系列数変更通知受信処理は、符号系列数変更通知受信し、変更された符号系列数を選択符号系列数として選択符号系列数テーブル１２６に記憶する処理である。
【００４４】
＜Ｇｒａｎｔ＿Ｆｒｅｅでの無線通信＞
複数の端末装置１００が、Ｇｒａｎｔ＿Ｆｒｅｅでデータを送信するとき、同一の無線リソースを選択した場合の無線通信について説明する。複数の端末装置１００それぞれが、異なる無線リソースを選択した場合、送信した信号同士の干渉が発生しないため、他に阻害要因がなければ、基地局装置２００でエラーなく複数の信号を受信し、受信に成功する。
【００４５】
なお、端末装置１００−１，２が選択する符号系列の数と、選択した符号系列が同じであるか否かで分類し、それぞれについて以下に説明する。
【００４６】
＜１．１つの符号系列を選択する場合＞
端末装置１００−１，２それぞれは、例えば、予め決められた４つの符号系列Ｓ１〜Ｓ４のうち、１つの符号系列を選択する。端末装置１００−１，２の２台が４つの符号系列から１つの符号系列を選択する場合、同じ符号系列が選択される確率は２５％である。端末装置１００の台数、及び決められた符号系列の数に応じて、端末装置１００は、一定の確率で同じ符号系列を選択する場合がある。以下、端末装置１００が１つの符号系列を選択する場合において、選択された符号系列が異なる場合と同じ場合、それぞれについて説明する。
【００４７】
＜１．１  選択した符号系列が異なる場合＞
図４は、符号系列の選択数が１で、選択した符号系列がそれぞれ異なる場合のシーケンスの例を示す図である。基地局装置２００は、例えば、報知情報を用いて、Ｇｒａｎｔ＿Ｆｒｅｅリソース情報を、端末装置１００−１，２に通知する（Ｓ１００）。Ｇｒａｎｔ＿Ｆｒｅｅリソース情報は、Ｇｒａｎｔ＿Ｆｒｅｅリソースに関する情報であり、例えば、端末装置１００が割り当て手順なしで使用できる周波数、時間、タイミング、リソースブロックなどに関する情報が含まれる。端末装置１００−１，２は、受信したＧｒａｎｔ＿Ｆｒｅｅリソース情報を、ＧＦ情報テーブル１２５に記憶する。
【００４８】
そして、端末装置１００−１及び２は、Ｇｒａｎｔ＿Ｆｒｅｅリソースを使用してデータを送信する契機が発生すると、ＧＦデータ送信処理を行う（Ｓ１０１）。
【００４９】
図５は、ＧＦデータ送信処理Ｓ１０１の処理フローチャートの例を示す図である。端末装置１００は、選択符号系列数の符号系列を選択する（Ｓ１０１−１）。選択符号系列数は、例えば、端末装置１００が内部メモリ（選択符号系列数テーブル１２６）に記憶する数値であり、基地局装置２００から指示又は通知される数値である。また、選択符号系列数の初期値は、例えば、１である。
【００５０】
端末装置１００は、選択した符号系列に応じてパイロット部を生成する（Ｓ１０１−２）。そして、端末装置１００は、生成したパイロット部をデータに付与し、データ信号を生成する（Ｓ１０１−３）。そして、端末装置１００は、Ｇｒａｎｔ＿Ｆｒｅｅリソースから、データ信号を送信するリソースを選択する（Ｓ１０１−４）。さらに、端末装置１００は、選択したリソースを使用して、データ信号を、基地局装置２００に送信し（Ｓ１０１−５）、処理を終了する。
【００５１】
符号系列Ｓ１〜Ｓ４の例を以下の符号系列（１）〜（４）に示す。
S1={-1,-1,+1,+1}  ・・・符号系列（１）
S2={-1,+1,-1,+1}  ・・・符号系列（２）
S3={+1,+1,-1,-1}  ・・・符号系列（３）
S4={+1,-1,+1,-1}  ・・・符号系列（４）
【００５２】
Ｓ１〜Ｓ４は、符号系列の名称である。符号系列Ｓ１〜Ｓ４は、４列で構成され、各列は互いに直交するよう、プラス１及びマイナス１で構成される。
【００５３】
図６は、端末装置１００−１，２が送信するデータ信号の例を示す図である。図６（Ａ）は、図４のデータ信号Ｓ１０２及びＳ１０３の例を示す。
【００５４】
図６（Ａ）において、端末装置１００−１は、符号系列Ｓ１を選択する。そして、端末装置１００−１は、送信するデータを有するデータ部と、符号系列Ｓ１に応じて生成したパイロット部とを有するデータ信号Ｓ１０２を生成する。
【００５５】
一方、端末装置１００−２は、符号系列Ｓ２を選択する。そして、端末装置１００−２は、送信するデータを有するデータ部と、符号系列Ｓ２に応じて生成したパイロット部とを有するデータ信号Ｓ１０３を生成する。
【００５６】
図４のシーケンスに戻り、端末装置１００−１は、Ｇｒａｎｔ＿ＦｒｅｅリソースＲ１を使用し、符号系列Ｓ１に応じたパイロット部を含むデータ信号、基地局装置２００に送信する（Ｓ１０２）。また、端末装置１００−２は、Ｇｒａｎｔ＿ＦｒｅｅリソースＲ１を使用し、符号系列Ｓ２に応じたパイロット部を含むデータ信号、基地局装置２００に送信する（Ｓ１０３）。
【００５７】
そして、基地局装置２００は、データ信号Ｓ１０２とデータ信号Ｓ１０３の無線リソースが同じ（又は干渉するほど近い）ため、干渉が発生し、それぞれの受信に失敗する（Ｓ１０４）。基地局装置２００は、Ｇｒａｎｔ＿Ｆｒｅｅリソースでデータ信号を受信すると、ＧＦデータ受信処理を行う（Ｓ１０５）。
【００５８】
図７は、ＧＦデータ受信処理Ｓ１０５の処理フローチャートの例を示す図である。基地局装置２００は、Ｇｒａｎｔ＿Ｆｒｅｅで送信されたデータ信号（以降、ＧＦデータと呼ぶ場合がある）の受信に成功したか否かを確認する（Ｓ１０５−１）。基地局装置２００は、ＧＦデータの受信に成功すると（Ｓ１０５−１のＹｅｓ）、データをエラーなく受信したことを示す肯定応答（ACK：acknowledgement）を、データ信号の送信元の端末装置１００に送信する（Ｓ１０５−２）。
【００５９】
一方、基地局装置２００は、ＧＦデータの受信に失敗すると（Ｓ１０５−１のＮｏ）、受信に失敗したデータ信号は、複数の端末装置１００から送信された信号であるか否かを確認する（Ｓ１０５−３）。基地局装置２００は、複数の端末装置１００から送信された信号でない場合（Ｓ１０５−３のＮｏ）、例えば、１つの端末装置１００から送信された信号であるが、無線区間での信号の電力の劣化により受信を失敗した場合、データをエラーなく受信できなかったこと示す否定応答（NACK：negative-acknowledgement）を、データ信号の受信系列を使用して端末装置１００に送信し（Ｓ１０５−７）、処理を終了する。
【００６０】
一方、基地局装置２００は、複数の端末装置１００から送信された信号である場合（Ｓ１０５−３のＹｅｓ）、例えば、２つの端末装置１００から同一の無線リソースで送信された信号であり、互いの信号が干渉することで基地局装置２００での受信品質が劣化した場合、受信した複数のＧＦデータのパイロット部の符号系列が、それぞれ同じか否かを確認する（Ｓ１０５−４）。
【００６１】
基地局装置２００は、受信した複数のＧＦデータのパイロット部の符号系列が、それぞれ同じ符号系列である場合（Ｓ１０５−４のＮｏ）、データ信号の受信系列を使用して、ＮＡＣＫを端末装置１００に送信し（Ｓ１０５−７）、処理を終了する。
【００６２】
一方、基地局装置２００は、受信した複数のＧＦデータのパイロット部の符号系列が、それぞれ異なる符号系列である場合（Ｓ１０５−４のＹｅｓ）、Ｇｒａｎｔ＿Ｆｒｅｅで送信した端末装置１００に対して、Ｇｒａｎｔ＿Ｂａｓｅの通信に切り替える。すなわち、基地局装置２００は、Ｇｒａｎｔ＿Ｆｒｅｅでの無線リソースの競合によるデータ信号の受信の失敗を繰り返さないように、競合しない無線リソースを複数の端末装置１００それぞれに割り当てる。
【００６３】
基地局装置２００は、Ｇｒａｎｔ＿Ｂａｓｅにおいて、受信したデータ信号の符号系列の端末装置１００それぞれに対して、Ｇｒａｎｔ＿Ｆｒｅｅリソース以外の、互いに競合しない（干渉しない）無線リソース（以降、Ｇｒａｎｔ＿Ｂａｓｅリソースと呼ぶ場合がある）を割り当てる（Ｓ１０５−５）。すなわち、基地局装置２００は、データ信号の符号系列で端末装置１００を識別し、符号系列に対応する端末装置１００それぞれに対して、干渉しない無線リソースを割り当てる。
【００６４】
そして、基地局装置２００は、受信したデータ信号の符号系列を使用し、割り当てたＧｒａｎｔ＿Ｂａｓｅリソースを含むＵＬ＿ＧｒａｎｔをＮＡＣＫに付与し、複数の端末装置１００に送信し（Ｓ１０５−６）、処理を終了する。
【００６５】
図４のシーケンスに戻り、基地局装置２００は、ＧＦデータ受信処理Ｓ１０５において、ＧＦデータの受信に失敗したと判定する（図７のＳ１０５−１のＮｏ）。そして、基地局装置２００は、ＧＦデータ受信処理Ｓ１０５において、受信に失敗したデータ信号が、複数の端末装置１００から送信された信号であると判定する（図７のＳ１０５−３のＹｅｓ）。さらに、基地局装置２００は、ＧＦデータ受信処理Ｓ１０５において、受信に失敗したデータ信号は、それぞれ符号系列Ｓ１と符号系列Ｓ２であり、異なる符号系列を有すると判定する（図７のＳ１０５−４のＹｅｓ）。そして、基地局装置２００は、符号系列Ｓ１の端末装置１００−１と符号系列Ｓ２の端末装置１００−２に、それぞれ互いに干渉しない無線リソースＲ２及びＲ３を割り当て（図７のＳ１０５−４）、符号系列Ｓ１及びＳ２それぞれを使用し、ＮＡＣＫを端末装置１００−１，２に送信する（Ｓ１０６、Ｓ１０７、図７のＳ１０５−６）。
【００６６】
端末装置１００−１，２は、ＮＡＣＫを受信し、ＮＡＣＫにＵＬ＿Ｇｒａｎｔが付与されていることを検出する。そして、端末装置１００−１，２は、ＮＡＣＫに対する再送を、ＵＬ＿Ｇｒａｎｔで割り当てられた無線リソースを使用して送信するＧＢデータ送信処理を行う（Ｓ１０８）。
【００６７】
端末装置１００−１は、ＧＢデータ送信処理Ｓ１０８において、ＵＬ＿Ｇｒａｎｔで割り当てられたリソースＲ２を使用し、データ信号を基地局装置２００に送信する（Ｓ１０９）。また、端末装置１００−２は、ＧＢデータ送信処理Ｓ１０８において、ＵＬ＿Ｇｒａｎｔで割り当てられたリソースＲ３を使用し、データ信号を基地局装置２００に送信する（Ｓ１１０）。
【００６８】
基地局装置２００は、データ信号Ｓ１０９とデータ信号Ｓ１１０は、互いに干渉しない無線リソースで送信されているため、他の阻害要因がなければ、データ信号Ｓ１０９とデータ信号Ｓ１１０の受信に成功し（Ｓ１１１、Ｓ１１２）、端末装置１００−１，２にＡＣＫを送信する。
【００６９】
上記に説明するように、端末装置１００−１，２が同じＧｒａｎｔ＿Ｆｒｅｅリソースを使用してデータ信号を送信した場合、基地局装置２００は、データ信号の受信に失敗する。しかし、データ信号のパイロット部の符号系列が異なる場合、符号系列に基づき端末装置１００を識別でき、符号系列に基づき無線リソースを割り当て、ＮＡＣＫを送信することができる。これにより、端末装置１００−１，２は、干渉しない無線リソースを使用し、データの再送を行うことができる。
【００７０】
＜１．２  選択した符号系列が同じである場合＞
一方、端末装置１００−１，２は、同じ符号系列を選択する場合がある。この場合について以下に説明する。
【００７１】
図８は、符号系列の選択数が１で、選択した符号系列が同じである場合のシーケンスの例を示す図である。処理Ｓ１００及び処理Ｓ１０１は、図４のシーケンスと同様である。
【００７２】
図６（Ｂ）は、図８のデータ信号Ｓ２００及びＳ２０１の例を示す。図６（Ｂ）において、端末装置１００−１は、符号系列Ｓ１を選択する。そして、端末装置１００−１は、送信するデータを有するデータ部と、符号系列Ｓ１に応じて生成したパイロット部とを有するデータ信号Ｓ２００を生成する。一方、端末装置１００−２は、端末装置１００−１と同じ符号系列Ｓ１を選択する。そして、端末装置１００−２は、送信するデータを有するデータ部と、符号系列Ｓ１に応じて生成したパイロット部とを有するデータ信号Ｓ２０１を生成する。
【００７３】
端末装置１００−１は、ＧＦデータ送信処理Ｓ１０１において、Ｇｒａｎｔ＿ＦｒｅｅリソースＲ１を使用し、符号系列Ｓ１に応じたパイロット部を含むデータ信号、基地局装置２００に送信する（Ｓ２００）。また、端末装置１００−２は、Ｇｒａｎｔ＿ＦｒｅｅリソースＲ１を使用し、符号系列Ｓ１に応じたパイロット部を含むデータ信号を、基地局装置２００に送信する（Ｓ２０１）。
【００７４】
基地局装置２００は、データ信号Ｓ２００とデータ信号Ｓ２０１の無線リソースが同じ（又は干渉するほど近い）ため、それぞれの受信に失敗する（Ｓ２０２）。基地局装置２００は、ＧＦデータ受信処理Ｓ１０５において、ＧＦデータの受信に失敗したと判定する（図７のＳ１０５−１のＮｏ）。そして、基地局装置２００は、ＧＦデータ受信処理Ｓ１０５において、受信に失敗したデータ信号は、複数の基地局装置２００から送信された判定する（図７のＳ１０５−３のＹｅｓ）。さらに、基地局装置２００は、ＧＦデータ受信処理Ｓ１０５において、受信に失敗したデータ信号は、それぞれ同じ符号系列Ｓ１であり、同じ符号系列を有すると判定する（図７のＳ１０５−４のＮｏ）。そして、基地局装置２００は、符号系列Ｓ１を使用し、端末装置１００−１，２にＮＡＣＫを送信する（Ｓ２０４、図７のＳ１０５−７）。
【００７５】
すなわち、基地局装置２００は、受信した複数のデータ信号のパイロット部が同じ符号系列に応じて生成されている場合、符号系列で複数の端末装置１００の識別ができないため、それぞれの端末装置１００にＧｒａｎｔ＿Ｂａｓｅリソースの割当てをすることができない（Ｓ２０３）。そのため、基地局装置２００は、ＧＦデータ受信処理Ｓ１０５において、ＵＬ＿Ｇｒａｎｔを付加しないＮＡＣＫを端末装置１００−１，２に送信する。
【００７６】
端末装置１００−１，２は、ＵＬ＿Ｇｒａｎｔを含まないＮＡＣＫを受信すると、ＧＦデータ送信処理Ｓ１０１を行い、Ｇｒａｎｔ＿Ｆｒｅｅリソースを使用して、データを再送する。
【００７７】
上記に説明するように、端末装置１００−１，２が同じＧｒａｎｔ＿Ｆｒｅｅリソースを使用してデータ信号を送信した場合、基地局装置２００は、データ信号の受信に失敗する。さらに、データ信号のパイロット部の符号系列が同じである場合、符号系列に基づき端末装置１００を識別することができないため、無線リソースを割り当てることができない。この場合、端末装置１００は、Ｇｒａｎｔ＿Ｆｒｅｅリソースを使用した再送を行うため、基地局装置２００で再度受信に失敗する可能性がある。
【００７８】
＜２．複数の符号系列を選択する場合＞
上述したように、複数の端末装置１００が、同じＧｒａｎｔ＿Ｆｒｅｅリソース及び同じ符号系列を選択した場合、基地局装置２００は、データ信号の受信に失敗し、さらに、干渉しない無線リソースの割当てを行うこともできない。そこで、基地局装置２００は、所定条件に基づき、複数の符号系列を選択するよう端末装置１００に指示する。
【００７９】
図９は、複数台の端末装置１００が同一符号系列を選択する確率の例を示す図である。図９は、端末装置１００が使用（選択）する符号系列数が１、使用（選択）可能な符号系列数が４、通信エリア内の端末装置１００が５台の場合の例である。
【００８０】
２台以上が同じ符号系列を選択する確率は、４つの符号系列に対して５台が選択するため、少なくとも２台は同じ符号系列を選択するため、１００％となる。
【００８１】
３台以上が同じ符号系列を選択する確率は、３台以上が同じ符号系列を選択する組み合わせ（４２４通り）を、全組み合わせ（１０２４通り）で除した、約４１．４％（小数点第２位以下四捨五入、以降確率の計算においては同様）となる。
【００８２】
４台以上が同じ符号系列を選択する確率は、４台以上が同じ符号系列を選択する組み合わせ（６４通り）を、全組み合わせ（１０２４通り）で除した、約６．３％となる。
【００８３】
５台全てが、同じ符号系列を選択する確率は、５台全てが同じ符号系列を選択する組み合わせ（４通り）を、全組み合わせ（１０２４通り）で除した、約０．４％となる。
【００８４】
図１０は、複数台の端末装置１００が同一符号系列を選択する確率の例を示す図である。図１０は、図９と同じく、使用（選択）可能な符号系列数が４、通信エリア内の端末装置１００が５台であるが、図９と異なり、端末装置１００が使用する符号系列数が２の場合の例である。なお、同じ符号系列を選択するとは、複数の符号系列の全てが同じである場合を示す。
【００８５】
２台以上が同じ符号系列を選択する確率は、２台以上が同じ符号系列を選択する組み合わせ（５７７２１６通り）を、全組み合わせ（１０４８５７６通り）で除した、約５５．１％となる。
【００８６】
３台以上が同じ符号系列を選択する確率は、３台以上が同じ符号系列を選択する組み合わせ（３７２１６通り）を、全組み合わせ（１０４８５７６通り）で除した、約３．６％となる。
【００８７】
４台以上が同じ符号系列を選択する確率は、４台以上が同じ符号系列を選択する組み合わせ（１２１６通り）を、全組み合わせ（１０４８５７６通り）で除した、約０．１％となる。
【００８８】
５台全てが、同じ符号系列を選択する確率は、５台全てが同じ符号系列を選択する組み合わせ（１６通り）を、全組み合わせ（１０４８５７６通り）で除した、約０．０％となる。
【００８９】
図９及び図１０で示すように、符号系列数を増加させることで、複数の端末装置１００で同じ符号系列を選択する可能性が減少する。すなわち、基地局装置２００は、符号系列数を増加させることで、図８のシーケンスのように、Ｇｒａｎｔ＿Ｂａｓｅに切り替えることができない状況が発生する確率を低下させることができる。
【００９０】
図１１は、符号系列の選択数が２である場合のシーケンスの例を示す図である。基地局装置２００は、例えば、報知情報を用いて、Ｇｒａｎｔ＿Ｆｒｅｅリソース情報を、端末装置１００−１，２に通知する（Ｓ１００）。そして、基地局装置２００は、例えば、無線区間の状態や配下（通信エリア内）の端末装置の台数に応じて、符号系列数決定処理を行う（Ｓ３００）。
【００９１】
図１２は、符号系列数決定処理Ｓ３００の処理フローチャートの例を示す図である。基地局装置２００は、例えば定期的に、符号系列数の決定指標を取得する（Ｓ３００−１）。
【００９２】
符号系列の決定指標は、例えば、通信エリア内に位置する端末装置１００の台数である。基地局装置２００は、端末装置１００の台数が増加するほど、端末装置１００が他の端末装置１００と同じ符号系列を選択する可能性が高くなるため、端末装置１００が選択する符号系列数を増加させる。
【００９３】
基地局装置２００は、例えば、通信エリア内の端末装置１００の台数が、端末装置１００が選択可能な符号系列数を超えた場合、同じ符号系列を選択する端末装置１００が少なくとも２台は発生するため、選択する符号系列数を増加させる。
【００９４】
また、符号系列の決定指標は、例えば、通信エリア内に位置する端末装置１００の台数に、通信品質に関する指標を加えてもよい。通信品質は、例えば、受信電力値やフレームエラーレートである。基地局装置２００は、通信エリア内に位置する端末装置１００の台数と通信品質を、総合的に判定し、符号系列数の増減を決定してもよい。
【００９５】
基地局装置２００は、決定指標に応じて、端末装置１００が選択する符号系列数を決定する（Ｓ３００−２）。
【００９６】
基地局装置２００は、決定した符号系列数が運用中の符号系列数と同じであるか否かを確認する（Ｓ３００−３）。基地局装置２００は、決定した符号系列数が運用中の符号系列数と同じである場合（Ｓ３００−３のＹｅｓ）、処理を終了する。
【００９７】
一方、基地局装置２００は、決定した符号系列数が運用中の符号系列数と異なる場合（Ｓ３００−３のＮｏ）、決定した符号系列数を端末装置１００に通知する（Ｓ３００−４）。そして、基地局装置２００は、通知した符号系列数を、運用中の符号系列として運用中符号系列数２２４に記憶し（Ｓ３００−５）、処理を終了する。
【００９８】
図１１のシーケンスに戻り、基地局装置２００は、符号系列数を２に変更し（図１２のＳ３００−２、図１２のＳ３００−３のＹｅｓ）、符号系列数２を指定した符号系列数変更通知を、端末装置１００−１，２に送信する（Ｓ３０１、図１２のＳ３００−４）。基地局装置２００は、符号系列数２を指定した符号系列数変更通知を端末装置１００−１，２に送信することで、２つの符号系列を選択し、選択した符号系列に応じて生成したパイロット部をデータ信号に付与するよう、端末装置１００−１，２に指示する。
【００９９】
端末装置１００−１，２は、符号系列数変更通知を受信すると、符号系列数変更通知受信処理を行う（Ｓ３０２）。
【０１００】
図１３は、符号系列数変更通知受信処理Ｓ３０２の処理フローチャートの例を示す図である。端末装置１００は、符号系列数変更通知を受信するのを待ち受ける（Ｓ３０２−１のＮｏ）。端末装置１００は、符号系列数変更通知を受信すると（Ｓ３０２−１のＹｅｓ）、符号系列変更通知に含まれる（指示された）符号系列数を、選択符号系列数として内部メモリ（選択符号系列数テーブル１２６）に記憶する（Ｓ３０２−２）。そして、端末装置１００は、再度符号系列数変更通知を受信するのを待ち受ける（Ｓ３０２−１）。
【０１０１】
図１１のシーケンスに戻り、端末装置１００は、符号系列数変更通知受信処理Ｓ３０２において、符号系列数変更通知に含まれる符号系列数「２」を、選択符号系列数として内部メモリ（選択符号系列数テーブル１２６）に記憶する（図１３のＳ３０２−１）。
【０１０２】
そして、端末装置１００−１及び２は、Ｇｒａｎｔ＿Ｆｒｅｅリソースを使用してデータを送信する契機が発生すると、ＧＦデータ送信処理を行う（Ｓ１０１）。
【０１０３】
図１４は、端末装置１００−１，２が送信するデータ信号の例を示す図である。端末装置１００−１は、符号系列Ｓ１及びＳ２を選択する。そして、端末装置１００−１は、送信するデータを有するデータ部と、符号系列Ｓ１及びＳ２に応じて生成したパイロット部とを有するデータ信号Ｓ３０３を生成する。なお、例えば、符号系列Ｓ１及びＳ２を使用するとは、符号系列Ｓ１とＳ２を結合した符号系列である  {-1,-1,+1,+1,-1,+1,-1,+1}を使用することである。
【０１０４】
一方、端末装置１００−２は、符号系列Ｓ１とＳ３を選択する。そして、端末装置１００−２は、送信するデータを有するデータ部と、符号系列Ｓ１とＳ３に応じて生成したパイロット部とを有するデータ信号Ｓ３０４を生成する。
【０１０５】
図１１のシーケンスに戻り、端末装置１００−１は、Ｇｒａｎｔ＿ＦｒｅｅリソースＲ１を使用し、符号系列Ｓ１とＳ２に応じたパイロット部を含むデータ信号、基地局装置２００に送信する（Ｓ３０３）。また、端末装置１００−２は、Ｇｒａｎｔ＿ＦｒｅｅリソースＲ１を使用し、符号系列Ｓ１とＳ３に応じたパイロット部を含むデータ信号、基地局装置２００に送信する（Ｓ３０４）。
【０１０６】
そして、基地局装置２００は、データ信号Ｓ３０３とデータ信号Ｓ３０４の無線リソースが同じであるため、干渉が発生し、それぞれの受信に失敗する（Ｓ３０５）。基地局装置２００は、Ｇｒａｎｔ＿Ｆｒｅｅリソースでデータ信号を受信すると、ＧＦデータ受信処理を行う（Ｓ１０５）。
【０１０７】
基地局装置２００は、ＧＦデータ受信処理Ｓ１０５において、ＧＦデータの受信に失敗したと判定する（図７のＳ１０５−１のＮｏ）。そして、基地局装置２００は、ＧＦデータ受信処理Ｓ１０５において、受信に失敗したデータ信号は、複数の基地局装置２００から送信された信号であると判定する（図７のＳ１０５−３のＹｅｓ）。さらに、基地局装置２００は、ＧＦデータ受信処理Ｓ１０５において、データ信号３０３の符号系列Ｓ１及びＳ２と、データ信号３０４の符号系列Ｓ１及びＳ３は、それぞれ異なる符号系列を有すると判定する（図７のＳ１０５−４のＹｅｓ）。なお、基地局装置２００は、符号系列が同一である否かの判定を、使用する符号系列の全てが一致するか否かで判定する。
【０１０８】
そして、基地局装置２００は、符号系列Ｓ１及びＳ２を使用する端末装置１００−１と、符号系列Ｓ１及びＳ３を使用する端末装置１００−２に、それぞれ互いに干渉しない無線リソースＲ２及びＲ３を割り当て（図７のＳ１０５−４）、符号系列Ｓ１及びＳ２と、符号系列Ｓ１及びＳ３のそれぞれを使用し、ＮＡＣＫを端末装置１００−１，２に送信する（Ｓ３０６、Ｓ３０７、図７のＳ１０５−６）。
【０１０９】
端末装置１００−１，２は、ＮＡＣＫを受信し、ＮＡＣＫにＵＬ＿Ｇｒａｎｔが付与されていることを検出する。そして、端末装置１００−１，２は、ＮＡＣＫに対する再送を、ＵＬ＿Ｇｒａｎｔで割り当てられた無線リソースを使用して送信するＧＢデータ送信処理を行う。
【０１１０】
上記に説明するように、符号系列数を複数にすることで、複数の端末装置１００が同じ符号系列を使用してデータ信号を送信する可能性が小さくなる。そのため、基地局装置２００は、Ｇｒａｎｔ＿Ｂａｓｅに切り替えできる可能性が大きくなり、端末装置１００からのデータ信号の再送の受信に成功する可能性が大きくなる。
【０１１１】
[第２の実施の形態]
次に、第２の実施の形態について説明する。第２の実施の形態において、端末装置１００は、ＧＦデータを送信するとき、通信相手装置に送信するデータを含むデータ信号に加え、自装置の識別子を含む識別子信号を、基地局装置２００に送信する。
【０１１２】
基地局装置２００は、符号系列数変更通知において、データ用符号系列数と識別子用符号系列数を端末装置１００に指示する。データ用符号系列数は、データ信号に含まれるパイロット部の生成に使用する符号系列の数である。識別子用符号系列数は、識別子信号に含まれるパイロット部の生成に使用する符号系列の数である。
【０１１３】
＜Ｇｒａｎｔ＿Ｆｒｅｅでの無線通信＞
図１５は、識別子信号を送信するＧｒａｎｔ＿Ｆｒｅｅのシーケンスの例を示す図である。基地局装置２００は、Ｇｒａｎｔ＿Ｆｒｅｅリソース情報を、端末装置１００−１，２に通知する（Ｓ４００）。端末装置１００−１，２は、受信したＧｒａｎｔ＿Ｆｒｅｅリソース情報を、ＧＦ情報テーブル１２５に記憶する。
【０１１４】
そして、基地局装置２００は、例えば、無線区間の状態や配下の端末装置の台数に応じて、データ用符号系列数と識別子用符号系列数を決定し、符号系列数変更通知にて端末装置１００−１，２に通知する（Ｓ４０１）。図１５のシーケンスにおいては、データ用符号系列数及び識別子用符号系列数は、共に１であるとする。
【０１１５】
端末装置１００−１，２は、符号系列数変更通知を受信すると、符号系列数変更通知受信処理を行う（Ｓ４０２）。
【０１１６】
図１６は、符号系列数変更通知受信処理Ｓ４０２の処理フローチャートの例を示す図である。端末装置１００は、符号系列数変更通知を受信するのを待ち受ける（Ｓ４０２−１のＮｏ）。端末装置１００は、符号系列数変更通知を受信すると（Ｓ４０２−１のＹｅｓ）、符号系列変更通知に含まれるデータ用符号系列数を、データ用選択符号系列数として内部メモリに記憶する（Ｓ４０２−２）。また、端末装置１００は、符号系列変更通知に含まれる識別子用符号系列数を、識別子用選択符号系列数として内部メモリに記憶する（Ｓ４０２−３）。そして、端末装置１００は、再度符号系列数変更通知を受信するのを待ち受ける（Ｓ４０２−１）。
【０１１７】
図１５のシーケンスに戻り、端末装置１００−１及び２は、Ｇｒａｎｔ＿Ｆｒｅｅリソースを使用してデータを送信する契機が発生すると、ＧＦデータ送信処理を行う（Ｓ４０３）。
【０１１８】
図１７は、ＧＦデータ送信処理Ｓ４０３の処理フローチャートの例を示す図である。端末装置１００は、データ用選択符号系列数の符号系列を選択する（Ｓ４０３−１）。データ用選択符号系列数の初期値は、例えば、１である。
【０１１９】
端末装置１００は、選択した符号系列に応じて、パイロット部を生成する（Ｓ４０３−２）。そして、端末装置１００は、パイロット部をデータに付与し、データ信号を生成する（Ｓ４０３−３）。そして、端末装置１００は、Ｇｒａｎｔ＿Ｆｒｅｅリソースから、データ信号を送信するリソースを選択する（Ｓ４０３−４）。さらに、端末装置１００は、選択したリソースを使用して、データ信号を、基地局装置２００に送信する（Ｓ４０３−５）。
【０１２０】
端末装置１００は、識別子用選択符号系列数が１以上であるか否かを確認する（Ｓ４０３−６）。端末装置１００は、識別子用選択符号系列数が０である場合（Ｓ４０３−６のＮｏ）、処理を終了する。識別子用符号系列数の初期値は、例えば、０である。
【０１２１】
一方、端末装置１００は、識別子用選択符号系列数が１以上である場合（Ｓ４０３−６のＹｅｓ）、識別子送信処理を実行し（Ｓ５００）、処理を終了する。
【０１２２】
図１８は、識別子送信処理Ｓ５００の処理フローチャートの例を示す図である。端末装置１００は、識別子用選択符号系列数の符号系列を選択する（Ｓ５００−１）。端末装置１００は、選択した符号系列に応じて、パイロット部を生成する（Ｓ５００−２）。端末装置１００は、生成したパイロット部を端末装置１００の識別子を含む識別子部に付与し、識別子信号を生成する（Ｓ５００−３）。端末装置１００は、識別子信号を送信するために割り当てられた識別子用リソースから、識別子信号を送信するリソースを選択する（Ｓ５００−４）。識別子用リソースは、例えば、Ｇｒａｎｔ＿Ｆｒｅｅリソースの一部又は全部である。
【０１２３】
そして、端末装置１００は、選択した識別子信号送信用のリソースで、識別子信号を基地局装置２００に送信し（Ｓ５００−５）、処理を終了する。
【０１２４】
図１９は、端末装置１００−１，２が送信するデータ信号及び識別子信号の例を示す図である。端末装置１００−１は、図１９に示すように、データ用符号系列として、符号系列Ｓ１を選択する。そして、端末装置１００−１は、送信するデータを有するデータ部と、符号系列Ｓ１に応じて生成したパイロット部とを有するデータ信号Ｓ４０４を生成する。
【０１２５】
また、端末装置１００−１は、図１９に示すように、識別子用符号系列として、符号系列Ｓ２を選択する。そして、端末装置１００−１は、端末装置１００−１の識別子を有する識別子部と、符号系列Ｓ２に応じて生成したパイロット部とを有する識別子信号Ｓ４０７を生成する。
【０１２６】
一方、端末装置１００−２は、図１９に示すように、データ用符号系列として、符号系列Ｓ１を選択する。そして、端末装置１００−２は、送信するデータを有するデータ部と、符号系列Ｓ１に応じて生成したパイロット部とを有するデータ信号Ｓ４０５を生成する。
【０１２７】
また、端末装置１００−２は、図１９に示すように、識別子用符号系列として、符号系列Ｓ３を選択する。そして、端末装置１００−２は、端末装置１００−２の識別子を有する識別子部と、符号系列Ｓ３に応じて生成したパイロット部とを有する識別子信号Ｓ４０８を生成する。
【０１２８】
図１５のシーケンスに戻り、端末装置１００−１は、Ｇｒａｎｔ＿ＦｒｅｅリソースＲ１を使用し、符号系列Ｓ１に応じたパイロット部を含むデータ信号、基地局装置２００に送信する（Ｓ４０４）。また、端末装置１００−２は、Ｇｒａｎｔ＿ＦｒｅｅリソースＲ１を使用し、符号系列Ｓ１に応じたパイロット部を含むデータ信号、基地局装置２００に送信する（Ｓ４０５）。
【０１２９】
そして、基地局装置２００は、データ信号Ｓ４０４とデータ信号Ｓ４０５の無線リソースが同じであるため、干渉が発生し、それぞれの受信に失敗する（Ｓ４０６）。
【０１３０】
また、端末装置１００−１は、識別子用リソースから識別子用リソースＲ４を選択し、符号系列Ｓ２に応じたパイロット部を含む識別子信号を、基地局装置２００に送信する（Ｓ４０７）。
【０１３１】
また、端末装置１００−２は、識別子用リソースから識別子用リソースＲ５を選択し、符号系列Ｓ３に応じたパイロット部を含む識別子信号を、基地局装置２００に送信する（Ｓ４０８）。
【０１３２】
基地局装置２００は、識別子信号Ｓ４０７と識別子信号Ｓ４０８の無線リソースが、それぞれ識別子用リソースＲ４及びＲ５で異なるため、他の阻害要因がなければ、それぞれの受信に成功する（Ｓ４０９）。
【０１３３】
基地局装置２００は、ＧＦデータ（データ信号及び識別子信号）を受信すると、ＧＦデータ受信処理を行う（Ｓ４１０）。
【０１３４】
図２０は、ＧＦデータ受信処理Ｓ４１０処理フローチャートの例を示す図である。基地局装置２００は、Ｇｒａｎｔ＿Ｆｒｅｅで送信されたデータ信号の受信に成功したか否かを確認する（Ｓ４１０−１）基地局装置２００は、ＧＦデータの受信に成功すると（Ｓ４１０−−１のＹｅｓ）、ＡＣＫをデータ信号の送信元の端末装置１００に送信する（Ｓ４１０−２）。
【０１３５】
一方、基地局装置２００は、ＧＦデータの受信に失敗すると（Ｓ４１０−１のＮｏ）、受信に失敗したデータ信号は、複数の端末装置１００から送信された信号であるか否かを確認する（Ｓ４１０−３）。基地局装置２００は、複数の端末装置１００から送信された信号でない場合（Ｓ４１０−３のＮｏ）、識別子受信処理を行い（Ｓ５０１）、処理を終了する。
【０１３６】
一方、基地局装置２００は、複数の端末装置１００から送信された信号である場合（Ｓ４１０−３のＹｅｓ）、受信した複数のＧＦデータのパイロット部の符号系列が、それぞれ同じか否かを確認する（Ｓ４１０−４）。
【０１３７】
基地局装置２００は、受信した複数のＧＦデータのパイロット部の符号系列が、それぞれ同じ符号系列である場合（Ｓ４１０−４のＮｏ）、識別子受信処理を行い（Ｓ５０１）、処理を終了する。
【０１３８】
一方、基地局装置２００は、受信した複数のＧＦデータのパイロット部の符号系列が、それぞれ異なる符号系列である場合（Ｓ４１０−４のＹｅｓ）、Ｇｒａｎｔ＿Ｆｒｅｅで送信した端末装置１００に対して、Ｇｒａｎｔ＿Ｂａｓｅに切り替える。
【０１３９】
基地局装置２００は、Ｇｒａｎｔ＿Ｂａｓｅにおいて、受信したデータ信号の符号系列の端末装置１００それぞれに対して、Ｇｒａｎｔ＿Ｂａｓｅリソースを割り当てる（Ｓ４１０−５）。そして、基地局装置２００は、受信したデータ信号の符号系列を使用し、割り当てたＧｒａｎｔ＿Ｂａｓｅリソースを含むＵＬ＿ＧｒａｎｔをＮＡＣＫに付与し、複数の端末装置１００に送信し（Ｓ４１０−６）、処理を終了する。
【０１４０】
図２１は、識別子受信処理Ｓ５０１の処理フローチャートの例を示す図である。基地局装置２００は、識別子信号の受信に成功したか否かを確認する（Ｓ５０１−１）。基地局装置２００は、識別子信号の受信に成功した場合（Ｓ５０１−１のＹｅｓ）、受信した識別子信号に含まれる識別子の端末装置それぞれに対し、Ｇｒａｎｔ＿Ｂａｓｅリソースを割り当てる（Ｓ５０１−１）。そして、基地局装置２００は、割り当てたＧｒａｎｔ＿Ｂａｓｅリソースを含むＵＬ＿Ｇｒａｎｔを付与したＮＡＣＫを、受信した識別子信号の識別子を使用して、端末装置１００に送信し（Ｓ５０１−３）、処理を終了する。
【０１４１】
一方、基地局装置２００は、識別子信号の受信に失敗すると（Ｓ５０１−１のＮｏ）、識別子信号のパイロット部の符号系列が同一であるか否かを確認する（Ｓ５０１−４）。
【０１４２】
基地局装置２００は、受信した識別子信号に含まれるパイロット部の符号系列が同じである場合（Ｓ５０１−４のＹｅｓ）、受信したデータ信号の符号系列を使用して、端末装置１００にＮＡＣＫを送信し（Ｓ５０１−７）、処理を終了する。
【０１４３】
一方、基地局装置２００は、受信した識別子信号に含まれるパイロット部の符号系列が同じでない場合（Ｓ５０１−４のＮｏ）、受信した識別子信号の符号系列の端末装置１００それぞれに対して、Ｇｒａｎｔ＿Ｂａｓｅリソースを割り当てる（Ｓ５０１−５）。そして、基地局装置２００は、割り当てたＧｒａｎｔ＿Ｂａｓｅリソースを含むＵＬ＿Ｇｒａｎｔを付与したＮＡＣＫを、受信した識別子信号の符号系列を使用して、端末装置１００に送信し（Ｓ５０１−６）、処理を終了する。
【０１４４】
図１５のシーケンスに戻り、基地局装置２００は、ＧＦデータ受信処理Ｓ４１０において、ＧＦデータの受信に失敗したと判定する（図２０のＳ４１０−１のＮｏ）。そして、基地局装置２００は、ＧＦデータ受信処理Ｓ４１０において、受信に失敗したデータ信号は、複数の端末装置１００−１，２から送信されたか判定する（図２０のＳ４１０−３のＹｅｓ）。さらに、基地局装置２００は、ＧＦデータ受信処理Ｓ４１０において、受信に失敗したデータ信号は、それぞれ符号系列Ｓ１と符号系列Ｓ１であり、同じ符号系列を有すると判定し（図２０のＳ４１０−４のＮｏ）、識別子受信処理Ｓ５０１を行う。
【０１４５】
基地局装置２００は、識別子受信処理Ｓ５０１において、識別子信号の受信に成功する(図２１のＳ５０１−１のＹｅｓ)。そして、基地局装置２００は、受信した識別子信号に含まれる識別子の端末装置１００−１，２それぞれに、Ｇｒａｎｔ＿ＢａｓｅリソースＲ２及びＲ３を割り当てる(図２１のＳ５０１−２)。そして、基地局装置２００は、識別子を使用して、端末装置１００−１，２にＵＬ＿Ｇｔａｎｔを付与したＮＡＣＫを送信する（Ｓ４１１、Ｓ４１２、図２１のＳ５０１−３）。
【０１４６】
端末装置１００−１，２は、ＮＡＣＫを受信し、ＮＡＣＫにＵＬ＿Ｇｒａｎｔが付与されていることを検出する。そして、端末装置１００−１，２は、ＮＡＣＫに対する再送を、ＵＬ＿Ｇｒａｎｔで割り当てられた無線リソースを使用して送信するＧＢデータ送信処理にて、データの再送を行う。
【０１４７】
上記に説明するように、端末装置１００−１，２が同じＧｒａｎｔ＿Ｆｒｅｅリソースを使用してデータ信号を送信した場合、基地局装置２００は、データ信号の受信に失敗する。さらに、端末装置１００−１，２が送信するデータ信号のパイロット部の符号系列が同じ場合、データ信号の符号系列に基づき端末装置１００を識別できない。しかし、第２の実施の形態において、端末装置１００−１，２は、データ信号とは異なるリソースを使用して識別子信号を送信する。基地局装置２００は、識別子信号の受信に成功することで、データ信号を送信した端末装置１００の識別子を認識することができ、端末装置１００に無線リソースを割り当てることができる。
【０１４８】
図２２は、識別子信号を送信するＧｒａｎｔ＿Ｆｒｅｅのシーケンスの例を示す図である。図１５のシーケンスでは、端末装置１００−１，２は、それぞれ異なる識別子用リソースで識別子信号を送信する。一方、図２２のシーケンスでは、端末装置１００−１，２は、それぞれ同じ識別子用リソースで識別子信号を送信する。
【０１４９】
図２２のシーケンスにおける処理Ｓ４００から処理Ｓ４０６は、図１５のシーケンスの処理Ｓ４００から処理Ｓ４０６と同様の処理である。
【０１５０】
端末装置１００−１は、識別子用リソースから識別子用リソースＲ４を選択し、符号系列Ｓ２に応じたパイロット部を含む識別子信号を、基地局装置２００に送信する（Ｓ６００）。  一方、端末装置１００−２は、識別子用リソースから端末装置１００−１と同じ識別子用リソースＲ４を選択し、符号系列Ｓ３に応じたパイロット部を含む識別子信号を、基地局装置２００に送信する（Ｓ６０１）。
【０１５１】
基地局装置２００は、識別子信号Ｓ６００と識別子信号Ｓ６０１の無線リソースが同じであるため、識別子信号の受信に失敗する（Ｓ６０２、図２１のＳ５０１−１のＮｏ）。基地局装置２００は、受信した識別子信号のパイロット部の符号系列が同一である否かを確認する（図２１のＳ５０１−４）。そして、基地局装置２００は、識別子信号Ｓ６００の符号系列Ｓ２と、識別子信号Ｓ６０１の符号系列Ｓ３が異なると判定する（図２１のＳ５０１−４のＮｏ）。
【０１５２】
基地局装置２００は、符号系列Ｓ２の端末装置１００−１と、符号系列Ｓ３の端末装置１００−２に、それぞれＧｒａｎｔ＿ＢａｓｅリソースＲ２及びＲ３を割り当てる（図２１のＳ５０１−５）。そして、基地局装置２００は、識別子信号のパイロット部の符号系列を使用して、割り当てたリソースを含むＵＬ＿Ｇｒａｎｔを付与したＮＡＣＫを端末装置１００−１，２に送信する（Ｓ６０３、Ｓ６０４、図２１のＳ５０１−６）。
【０１５３】
上記に説明するように、基地局装置２００は、データ信号の受信に失敗し、さらに、識別子信号の受信に失敗しても、識別子信号の符号系列が異なれば、端末装置１００を識別子信号の符号系列を使用して識別することができる。
【０１５４】
なお、基地局装置２００は、複数の端末装置１００から送信されるデータ信号のうち、一部の端末装置１００から送信されるデータ信号の受信成功する場合がある。基地局装置２００は、データ信号の受信に成功すると、データ信号の含まれる端末装置１００の識別子を取得し、取得した識別子を使用して端末装置１００にＡＣＫを送信する。
【０１５５】
そして、基地局装置２００は、識別子信号の受信に成功したとき、すでに受信に成功している端末装置１００（ＡＣＫを送信済の端末装置１００）の識別子に対しては、Ｇｒａｎｔ＿Ｂａｓｅリソースの割当て処理を行わないことで、無駄なリソースの割当てを抑制できる。
【０１５６】
また、基地局装置２００は、識別子信号の受信に失敗したとき、識別子信号の符号系列を使用して端末装置１００を特定するが、受信が成功したデータ信号を送信した端末装置１００と、受信が失敗したデータ信号を送信した端末装置１００を識別することはできない。そこで、基地局装置２００は、全ての識別子信号の符号系列に対してＧｒａｎｔ＿Ｂａｓｅリソースを割り当て、ＮＡＣＫに付与して送信する。この場合、データ信号の受信に成功した端末装置１００に対してもＧｒａｎｔ＿Ｂａｓｅリソースを含むＮＡＣＫが送信されることとなるが、データ信号の受信に成功した端末装置１００は、既にＡＣＫを受信済みであるため、当該ＮＡＣＫを破棄することで、無駄な再送を行わないよう制御することができる。基地局装置２００は、データ信号の受信に成功した端末装置１００にもＧｒａｎｔ＿Ｂａｓｅリソースを割り当てることとなり、使用しない無線リソースを割り当てた状態となるが、割り当てた無線リソースが所定時間使用されなければ無線リソースを解放するなどの処理を行うことで、使用しない無線リソースを解放できる。
【符号の説明】
【０１５７】
１０        ：無線通信システム
１００      ：端末装置
１１０      ：ＣＰＵ
１２０      ：ストレージ
１２１      ：無線通信プログラム
１２２      ：ＧＦデータ送信プログラム
１２３      ：ＧＢデータ送信プログラム
１２４      ：符号系列数変更通知受信プログラム
１２５      ：ＧＦ情報テーブル
１２６      ：選択符号系列数テーブル
１３０      ：メモリ
１５０      ：ＲＦ回路
１５１      ：アンテナ
２００      ：基地局装置
２１０      ：ＣＰＵ
２２０      ：ストレージ
２２１      ：無線通信制御プログラム
２２２      ：ＧＦデータ受信プログラム
２２３      ：符号系列数決定プログラム
２２３１    ：符号系列数通知モジュール
２２４      ：運用中符号系列数
２３０      ：メモリ
２５０      ：ＲＦ回路
２５１      ：アンテナ
【図１】
2019087257.tif 000003
【図２】
2019087257.tif 000004
【図３】
2019087257.tif 000005
【図４】
2019087257.tif 000006
【図５】
2019087257.tif 000007
【図６】
2019087257.tif 000008
【図７】
2019087257.tif 000009
【図８】
2019087257.tif 000010
【図９】
2019087257.tif 000011
【図１０】
2019087257.tif 000012
【図１１】
2019087257.tif 000013
【図１２】
2019087257.tif 000014
【図１３】
2019087257.tif 000015
【図１４】
2019087257.tif 000016
【図１５】
2019087257.tif 000017
【図１６】
2019087257.tif 000018
【図１７】
2019087257.tif 000019
【図１８】
2019087257.tif 000020
【図１９】
2019087257.tif 000021
【図２０】
2019087257.tif 000022
【図２１】
2019087257.tif 000023
【図２２】
2019087257.tif 000024
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
複数の端末装置と無線通信することが可能な基地局装置であって、
前記端末装置が選択する符号系列の選択数を決定する決定部と、
前記端末装置が前記無線通信におけるデータを含むデータ信号を送信するとき、前記選択数の符号系列を選択し、前記選択した符号系列に応じて生成したパイロット部を前記データ信号に付与するよう、前記端末装置に指示する指示部と、
前記端末装置が送信する前記データ信号を受信する受信部とを有する
基地局装置。
【請求項２】
前記決定部は、前記基地局装置と通信できる範囲内に位置する前記端末装置の台数に応じて、前記選択数を決定する
請求項１記載の基地局装置。
【請求項３】
前記データ信号を送信する無線リソースは、前記基地局装置と前記端末装置間での無線リソースの割り当て手順なしに前記端末装置が使用することができる無線リソースである第１リソースであって、
前記受信部は、前記複数の端末装置が送信した複数のデータ信号の受信に失敗したとき、前記複数のデータ信号のパイロット部を生成したそれぞれの符号系列を示す受信符号系列が異なる場合、前記受信符号系列で前記複数の端末装置を識別し、前記複数の端末装置それぞれに対して、前記第１リソース以外の無線リソースである第２リソースを割り当て、前記割り当てた第２リソースに関する情報を含む否定応答を、前記受信符号系列を用いて前記複数の端末装置それぞれに送信する
請求項１記載の基地局装置。
【請求項４】
前記指示部は、前記端末装置が選択した符号系列の全てに応じて、前記パイロット部を生成するよう指示する
請求項１記載の基地局装置。
【請求項５】
前記決定部は、さらに、前記決定した選択数のうち、前記パイロット部の生成に使用する符号系列の数を示す第１数を決定し、
前記指示部は、前記端末装置が前記データ信号を送信するとき、
前記選択した符号系列のうち第１数の符号系列を選択し、前記第１数の符号系列に応じて生成したパイロット部を前記データ信号に付与し、
前記選択した符号系列のうち前記第１数の符号系列以外の符号系列に応じて第２パイロット部を生成し、前記第２パイロット部を付与した信号であって、前記端末装置の識別子を含む識別子信号を前記基地局装置に送信するよう、前記端末装置に指示する
請求項１記載の基地局装置。
【請求項６】
前記データ信号を送信する無線リソースは、前記基地局装置と前記端末装置間での無線リソースの割り当て手順なしに前記端末装置が使用することができる無線リソースである第１リソースであって、
前記受信部は、前記複数の端末装置が送信した複数のデータ信号の受信に失敗し、かつ前記複数のデータ信号のパイロット部を生成したそれぞれの符号系列を示す受信符号系列が同一である場合、
前記識別子信号を受信し、
前記識別子信号の受信に成功した場合、前記識別子信号に含まれる前記端末装置の識別子で前記複数の端末装置を識別し、前記複数の端末装置それぞれに対して、前記第１リソース以外の無線リソースである第２リソースを割り当て、前記割り当てた第２リソースに関する情報を含む否定応答を、前記識別子を用いて前記複数の端末装置それぞれに送信する
請求項５記載の基地局装置。
【請求項７】
前記受信部は、さらに、前記識別子信号の受信に失敗した場合であって、かつ前記複数の端末装置が送信する識別子信号のパイロット部を生成したそれぞれの符号系列を示す受信識別子符号系列が異なる場合、前記受信識別子符号系列で前記複数の端末装置を識別し、前記複数の端末装置それぞれに対して、前記第２リソースを割り当て、前記割り当てた第２リソースに関する情報を含む否定応答を、前記受信識別子符号系列を用いて前記複数の端末装置それぞれに送信する
請求項６記載の基地局装置。
【請求項８】
複数の端末装置と、前記複数の端末装置と無線通信をすることが可能な基地局装置とを有する無線通信システムにおける端末装置であって、
前記基地局装置から符号系列の選択数を含む信号を受信する選択数受信部と、
前記無線通信におけるデータを含むデータ信号を送信するとき、前記選択数の符号系列を選択し、前記選択した符号系列に応じて生成したパイロット部を付与した前記データ信号を送信する送信部と、を有する
端末装置。
【請求項９】
前記送信部は、前記選択した符号系列の全てに応じて前記パイロット部を生成する
請求項８記載の端末装置。
【請求項１０】
前記選択数受信部は、さらに、前記決定した選択数のうち、前記パイロット部の生成に使用する符号系列の数を示す第１数を受信し、
前記送信部は、
前記選択した符号系列のうち第１数の符号系列を選択し、前記第１数の符号系列に応じて生成したパイロット部を前記データ信号に付与し、
前記選択した符号系列のうち前記第１数の符号系列以外の符号系列に応じて第２パイロット部を生成し、前記第２パイロット部を付与した信号であって、前記端末装置の識別子を含む識別子信号を前記基地局装置に送信する
請求項８記載の端末装置。
【請求項１１】
複数の端末装置と無線通信することが可能な基地局装置における通信方法であって、
前記端末装置が選択する符号系列の選択数を決定し、
前記端末装置が前記無線通信におけるデータを含むデータ信号を送信するとき、前記選択数の符号系列を選択し、前記選択した符号系列に応じて生成したパイロット部を前記データ信号に付与するよう、前記端末装置に指示し、
前記端末装置が送信する前記データ信号を受信する
通信方法。
【請求項１２】
複数の端末装置と、前記複数の端末装置と無線通信することが可能な基地局装置とを有する無線通信システムであって、
前記基地局装置は、前記端末装置が選択する符号系列の選択数を決定し、前記決定した選択数を前記端末装置に通知し、
前記端末装置は、前記通知された選択数の符号系列を選択し、前記選択した符号系列に応じて生成したパイロット部を付与した信号であって、前記無線通信のデータを含むデータ信号を、前記基地局装置に送信し、
前記基地局装置は、前記データ信号を受信する
無線通信システム。
【国際調査報告】
2019087257.tif 000025
2019087257.tif 000026
2019087257.tif 000027
2019087257.tif 000028